(57)【要約】【課題】  データ保持部を切り替える前後においてタグ情報の所定の項目を同一にしたオーディオ信号を再生すること。【解決手段】  タグ情報を有するオーディオ信号を保持する複数のデータ保持部９と、このデータ保持部９からオーディオ信号を取得し再生部１０へ出力する制御部８とを有し、タグ情報の項目を少なくとも１つ保持する記憶部１１が制御部８に接続されたオーディオ装置であって、制御部８は、現在オーディオ信号を取得しているデータ保持部９とは別のデータ保持部９からオーディオ信号を取得し再生部１０へ出力する状態へ変更するものであり、現在取得しているオーディオ信号の記憶部１１に保持するタグ情報の項目と、状態を変更した後のオーディオ信号の記憶部１１に保持するタグ情報の項目とを同一とする構成とした。【選択図】図３
2012155777.tif 000002
【特許請求の範囲】
【請求項１】
タグ情報を有するオーディオ信号を保持する複数のデータ保持部と、このデータ保持部からオーディオ信号を取得し再生部へ出力する制御部とを有し、前記タグ情報の項目を少なくとも１つ保持する記憶部が前記制御部に接続されたオーディオ装置であって、
前記制御部は、現在オーディオ信号を取得しているデータ保持部とは別のデータ保持部からオーディオ信号を取得し再生部へ出力する状態へ変更するものであり、現在取得しているオーディオ信号の前記記憶部に保持するタグ情報の項目と、状態を変更した後のオーディオ信号の前記記憶部に保持するタグ情報の項目とを同一とする構成としたオーディオ装置。
【請求項２】
前記制御部には、ユーザ操作を受け付ける入力部がさらに接続され、
前記制御部は、前記入力部へ現在オーディオ信号を取得しているデータ保持部とは別のデータ保持部へ変更するユーザ操作があれば、現在オーディオ信号を取得しているデータ保持部とは別のデータ保持部からオーディオ信号を取得し再生部へ出力する状態へ変更する請求項１に記載のオーディオ装置。
【請求項３】
前記記憶部に保持するタグ情報の項目は、前記入力部へのユーザ操作により決定することを特徴とする請求項２に記載のオーディオ装置。
【請求項４】
前記複数のデータ保持部は、半導体メモリ、光ディスクおよびハードディスクのいずれかを含む請求項１に記載のオーディオ装置。
【請求項５】
前記記憶部に保持するタグ情報の項目は、アーティスト名、アルバム名、曲名、およびジャンルのいずれかを含む請求項１に記載のオーディオ装置。
【発明の詳細な説明】
【技術分野】
【０００１】
本発明は、例えばＣＤなどの携帯型記憶媒体に収納されたオーディオ信号の再生や、記憶部に記憶されたオーディオ信号の再生を行うことが出来るオーディオ装置に関するものである。
【背景技術】
【０００２】
車載用として用いられ、オーディオ信号を保持する複数のデータ保持部からオーディオ信号を取得し再生部へ出力する制御部を有するオーディオ装置が知られている。
【０００３】
このオーディオ装置において、現在オーディオ信号を取得しているデータ保持部とは別のデータ保持部からオーディオ信号を取得し再生部へ出力するようユーザの指示があれば、制御部が、ユーザの指示があった別のデータ保持部における前回終了位置からオーディオ信号を取得し再生部へ出力する状態へ変更する構成とするものがある（例えば、特許文献１参照）。
【先行技術文献】
【特許文献】
【０００４】
【特許文献１】特開２００５−１１４５７号公報
【発明の概要】
【発明が解決しようとする課題】
【０００５】
しかしながら、従来の構成では、データ保持部を切り替える前に再生してたオーディオ信号に関連するオーディオ信号が続けて再生されるとは限らず、使い勝手が良くなかった。
【０００６】
具体的には、現在再生しているオーディオ信号がアーティストＡであり、切り替え後のデータ保持部の前回終了位置のオーディオ信号がアーティストＢであれば、アーティストＡのオーディオ信号を聴取するためには、ユーザはリストなどから再選択する手間が必要となる。
【０００７】
本発明は、データ保持部の切り替え前後のオーディオ信号を連動させて再生することが可能なオーディオ装置を提供し、使い勝手を向上させることを目的とする。
【課題を解決するための手段】
【０００８】
本発明は、タグ情報を有するオーディオ信号を保持する複数のデータ保持部と、このデータ保持部からオーディオ信号を取得し再生部へ出力する制御部とを有し、タグ情報の項目を少なくとも１つ保持する記憶部が制御部に接続されたオーディオ装置であって、制御部は、現在オーディオ信号を取得しているデータ保持部とは別のデータ保持部からオーディオ信号を取得し再生部へ出力する状態へ変更するものであり、現在取得しているオーディオ信号の記憶部に保持するタグ情報の項目と、状態を変更した後のオーディオ信号の記憶部に保持するタグ情報の項目とを同一とする構成とした。
【発明の効果】
【０００９】
本発明は、タグ情報を有するオーディオ信号を保持する複数のデータ保持部と、このデータ保持部からオーディオ信号を取得し再生部へ出力する制御部とを有し、タグ情報の項目を少なくとも１つ保持する記憶部が制御部に接続されたオーディオ装置であって、制御部は、現在オーディオ信号を取得しているデータ保持部とは別のデータ保持部からオーデ
ィオ信号を取得し再生部へ出力する状態へ変更するものであり、現在取得しているオーディオ信号の記憶部に保持するタグ情報の項目と、状態を変更した後のオーディオ信号の記憶部に保持するタグ情報の項目とを同一とする構成としたため、データ保持部の切り替え前後に再生するオーディオ信号を連動させて聴取することを可能とし、使い勝手を向上させることが可能となる。
【００１０】
すなわち、例えば、記憶部に保持するタグ情報の項目としてアーティストを設定していた場合、あるデータ保持部において、様々なアーティストのオーディオ信号を少しずつ再生して、今聞きたいアーティストのオーディオ信号を再生すれば、その今聞きたいアーティストのオーディオ信号を再生中にデータ保持部を切り替えれば、自動的にそのアーティストのオーディオ信号を続けて再生することができる。
【図面の簡単な説明】
【００１１】
【図１】本発明の実施の形態にかかる自動車の車内を模式的に示した図
【図２】本発明の実施の形態にかかるオーディオ装置の構成を示す図
【図３】同構成を示すブロック図
【図４】同構成の連動モード再生を設定する際のメニュー画面を示す図
【図５】同構成のタグ情報の一例を示す図
【図６】同構成のタグ情報の一例を示す図
【図７】同構成の連動モード再生を説明する図
【図８】従来の再生を説明する図
【図９】同構成の連動モード再生のフローチャート
【発明を実施するための形態】
【００１２】
（実施例１）
以下、本発明の実施の形態におけるオーディオ装置について図面を参照しながら説明する。
【００１３】
図１は、自動車の車内を模式的に示したものであって、ハンドル１の左方には、オーディオ装置２が配置されている。
【００１４】
さて、図２は、オーディオ装置２の具体的な構成を示すものであって、図２に示す本体ケース３と、この本体ケース３の表面側に設けたディスプレイ４と、このディスプレイ４の下方にボタン類で構成される操作部５とを有する。また、ディスプレイ４の上方には、ディスク挿入口６を有する。なお、ディスプレイ４は、液晶パネルを用いることが好適で、再生中の楽曲タイトルやアルバム、アーティスト名などを表示する。
【００１５】
次に、オーディオ装置２のブロック図を図３に示す。
【００１６】
本体ケース３内には、ディスプレイ４に相当する表示部１３と、操作部５に相当する入力部１２と、記憶部１１、および制御部８を備える。この制御部８は、表示部１３、入力部１２、および記憶部１１と接続され、さらにデータ保持部９および再生部１０とも接続する。
【００１７】
再生部１０は、音量や音質を調整する信号処理を行うオーディオプロセッサ１０ａ、オーディオ信号を増幅するアンプ１０ｂ、およびアンプ１０ｂを経由してスピーカ１０ｃで構成されている。このように構成し、制御部８から入力されたオーディオ信号をユーザへ音として伝える。
【００１８】
データ保持部９は、ＨＤＤ（ｈａｒｄ  ｄｉｓｃ）などのドライブ９ａ、ＳＤなどの半
導体メモリ９ｂ、ＣＤ（ｃｏｍｐａｃｔ  ｄｉｓｃ）に代表される光ディスク９ｃであり、オーディオ信号を保持している。このオーディオ信号は、制御部８がデータ保持部９から取得し、再生部１０へ出力するが、さらに付加情報として与えられたタグ情報を有する。
【００１９】
タグ情報は、ＭＰ３ファイルに組み込まれるＩＤ３タグが代表的なもので、アーティスト名、アルバム名、曲名などである。このアーティスト名、アルバム名、曲名などをタグ情報の項目と呼ぶ。なお、タグ情報は、データ保持部９に保持する形態でもよいし、記憶部１１に保持する形態でもよい。
【００２０】
記憶部１１には、タグ情報の項目を少なくとも１つ保持している。本実施の形態では、データ保持部９が変更されたとしても、記憶部１１に保持するタグ情報の項目と合致するタグ情報を持つオーディオ信号の再生を継続できるようにする（以後、連動モード再生と呼ぶ）。
【００２１】
具体的に連動モード再生とは、以下の状態のことである。記憶部１１にタグ情報の項目として、アーティスト名が保持されていたとする。この時、制御部８がデータ保持部９のうちＨＤＤからオーディオ信号を取得し、再生部１０へ出力し、再生部１０がオーディオ信号を再生しているとする。このオーディオ信号のアーティスト名がアーティストＡであれば、制御部８がオーディオ信号を取得するデータ保持部９をＳＤへ切り替えた後も、制御部８は、ＳＤに保持するオーディオ信号の中からアーティストＡのオーディオ信号を再生する。
【００２２】
また、次のようにして、制御部８が記憶部１１にタグ情報の項目を保持させる。制御部８は、表示部１３に図４に示すメニュー画面１４を表示させ、ユーザが入力部１２を操作することにより、項目１４ａから１４ｅのいずれかを選択することにより記憶部１１に保持するタグ情報の項目を決定し、記憶部１１にタグ情報の項目を保持させる。なお、制御部８がランダムに記憶部１１に保持するタグ情報の項目を設定してもよい。
【００２３】
次に、連動モード再生の具体的な動作について図５から図９を用いて説明する。
【００２４】
図５は、現在再生中のデータ保持部９（ここでは、ＨＤＤとする）のタグ情報１５を示す。図６は、切り替え後のデータ保持部９（ここでは、ＳＤとする）のタグ情報１６を示す。図７は、本実施形態における連動モード再生で再生されるオーディオ信号の遷移を示し、図８は、従来例における再生されるオーディオ信号の遷移を示している。図９は、連動モード再生の動作を説明するフローチャートである。
【００２５】
まず、ユーザが入力部１２を操作し、連動モード再生を開始する。この状態で、ユーザが入力部１２へＨＤＤに保持するオーディオ信号の再生を指示すると、制御部８は、ＨＤＤの先頭曲である曲番号１（アーティストａａａ）のオーディオ信号を再生部１０へ出力し、再生を開始する（ステップＳ１、図７の再生１７）。
【００２６】
ここで、再生停止指示が入力部１２にあると処理を停止する（ステップＳ２）。
【００２７】
そして、曲番号１（アーティストａａａ）の再生中にユーザからＳＤへの切り替え要求が入力部１２にあると（ステップＳ３）、制御部８は、記憶部１１からタグ情報の項目を取得し（ステップＳ４）、現在再生中のオーディオ信号のタグ情報の項目と同一のオーディオ信号をＳＤから抽出する（ステップＳ５）。
【００２８】
なお、ステップＳ５は、オーディオ信号再生中など、ユーザがデータ保持部９の切り替
え要求をする前にデータ保持部９のそれぞれに対しリストを作成するようにしてもよい。そうすることにより、ユーザがデータ保持部９の切り替え要求を頻繁に行ったとしても処理動作の低下を防ぐことができる。また、リストの作成順は、ランダムとしてもよいし、曲名の昇順に従うなどでもよい。
【００２９】
次のステップＳ６で、制御部８は、ＳＤから抽出した現在再生中のオーディオ信号のタグ情報の項目と同一のオーディオ信号を再生部１０へと出力する（図７の再生１８）。そして、再生停止指示が入力部１２にあるまで再生を継続する（ステップＳ７）。
【００３０】
そのままＳＤのオーディオ信号の再生を継続し、曲番号３（アーティストｃｃｃ）の再生中に、ユーザからＨＤＤへの切り替え要求が入力部１２にあると（ステップＳ８）、ステップＳ４へ戻る。そして、同様の動作を繰り返すことにより、ＨＤＤへ切り替え後、制御部８は、ＳＤから抽出した現在再生中のオーディオ信号のタグ情報の項目と同一の曲番号５（アーティストｃｃｃ）のオーディオ信号を再生部１０へと出力する（図７の再生１９）。
【００３１】
また、比較のため、図８に従来例におけるオーディオ信号の再生を説明する。ＨＤＤの先頭曲である曲番号１（アーティストａａａ）の再生中にＳＤへ切り替え、再度ＨＤＤへ切り替えた場合、ＨＤＤの前回再生地点である曲番号１（アーティストａａａ）の途中から再生される。
【００３２】
以上説明したように、本実施形態では、タグ情報を有するオーディオ信号を保持する複数のデータ保持部９と、このデータ保持部９からオーディオ信号を取得し再生部１０へ出力する制御部８とを有し、タグ情報の項目を少なくとも１つ保持する記憶部１１が制御部８に接続されたオーディオ装置であって、制御部８は、現在オーディオ信号を取得しているデータ保持部９とは別のデータ保持部９からオーディオ信号を取得し再生部１０へ出力する状態へ変更するものであり、現在取得しているオーディオ信号の記憶部１１に保持するタグ情報の項目と、状態を変更した後のオーディオ信号の記憶部１１に保持するタグ情報の項目とを同一とする構成としたため、データ保持部９の切り替え前後のオーディオ信号を連動させて（タグ情報の所定の項目を同一にして）再生することが可能なオーディオ装置２を提供し、使い勝手を向上させることが可能となる。
【００３３】
すなわち、例えば、記憶部１１に保持するタグ情報の項目としてアーティストを設定していた場合、あるデータ保持部９において、様々なアーティストのオーディオ信号を少しずつ再生して、今聞きたいアーティストのオーディオ信号を再生すれば、その今聞きたいアーティストのオーディオ信号を再生中にデータ保持部９を切り替えれば、自動的にそのアーティストのオーディオ信号を続けて再生することができる。
【産業上の利用可能性】
【００３４】
以上のように、本発明は、タグ情報を有するオーディオ信号を保持する複数のデータ保持部と、このデータ保持部からオーディオ信号を取得し再生部へ出力する制御部とを有し、タグ情報の項目を少なくとも１つ保持する記憶部が制御部に接続されたオーディオ装置であって、制御部は、現在オーディオ信号を取得しているデータ保持部とは別のデータ保持部からオーディオ信号を取得し再生部へ出力する状態へ変更するものであり、現在取得しているオーディオ信号の記憶部に保持するタグ情報の項目と、状態を変更した後のオーディオ信号の記憶部に保持するタグ情報の項目とを同一とする構成としたため、データ保持部を切り替えた後も継続してタグ情報の所定の項目が同一のオーディオ信号を再生することが可能となり、車両に搭載される音響機器などとして有用である。
【符号の説明】
【００３５】
１  ハンドル
２  オーディオ装置
３  本体ケース
４  ディスプレイ
５  操作部
６  ディスク挿入口
８制御部
９  データ保持部
９ａ  ドライブ
９ｂ  半導体メモリ
９ｃ  光ディスク
１０  再生部
１０ａ  オーディオプロセッサ
１０ｂ  アンプ
１０ｃ  スピーカ
１１  記憶部
１２  入力部
１３  表示部
１４  メニュー画面
【図１】
2012155777.tif 000003
【図２】
2012155777.tif 000004
【図３】
2012155777.tif 000005
【図４】
2012155777.tif 000006
【図５】
2012155777.tif 000007
【図６】
2012155777.tif 000008
【図７】
2012155777.tif 000009
【図８】
2012155777.tif 000010
【図９】
2012155777.tif 000011